(57)【要約】  複数のデバイスが通信することを可能にするための方法は、第１のデバイスと第２のデバイスとの間でマルチメディア通信セッションを開始することと、第１と第２のデバイスの各々は、少なくとも１つの追加のデバイスへのアクセスを有し、少なくとも１つの追加のデバイスに向けるべきマルチメディア通信セッションの少なくとも一部分を識別することと、第１のデバイスは、少なくとも１つの追加のデバイスの一意の識別子を取得することと、少なくとも１つの追加のデバイスにマルチメディア通信セッションの識別された少なくとも一部分を向けることと、を含む。【選択図】図１
2016522589.tif 000002
【特許請求の範囲】
【請求項１】
複数のデバイスが通信することを可能にするための方法であって、
第１のデバイスと第２のデバイスとの間でマルチメディア通信セッションを開始することと、前記第１および第２のデバイスの各々は少なくとも１つの追加のデバイスへのアクセスを有し、
前記少なくとも１つの追加のデバイスに向ける前記マルチメディア通信セッションの少なくとも一部分を識別することと、前記第１のデバイスは、前記少なくとも１つの追加のデバイスの一意の識別子を取得し、
前記少なくとも１つの追加のデバイスに前記マルチメディア通信セッションの前記識別された少なくとも一部分を向けることと、
を備える、方法。
【請求項２】
第１のデバイスと第２のデバイスとの間でマルチメディア通信セッションを開始することは、前記第１のデバイスおよび前記第２のデバイスを認証することをさらに備える、請求項１に記載の方法。
【請求項３】
前記第１のデバイス、前記第２のデバイス、および前記少なくとも１つの追加のデバイスの各々は、ルーティング可能なアドレスを使用して個別にアドレス指定可能である、請求項１に記載の方法。
【請求項４】
前記少なくとも１つの追加のデバイス内に位置する要素は、ルーティング可能なアドレスを使用して個別にアドレス指定可能である、請求項３に記載の方法。
【請求項５】
前記ルーティング可能なアドレスは、電話番号に相関されるＩＰアドレスを備える、請求項３に記載の方法。
【請求項６】
前記ＩＰアドレスは、前記少なくとも１つの追加のデバイスに関連付けられた能力に相関される、請求項５に記載の方法。
【請求項７】
前記マルチメディア通信セッションは、ボイスオーバＩＰ（ＶｏＩＰ）呼である、請求項１に記載の方法。
【請求項８】
前記ＶｏＩＰ呼は、第１のデータおよび第２のデータを備え、前記第２のデータは、前記少なくとも１つの追加のデバイスに転送される、請求項７に記載の方法。
【請求項９】
前記第１のデバイスは、前記第２のデバイスから前記一意の識別子を取得する、請求項１に記載の方法。
【請求項１０】
前記マルチメディア通信セッションの前記少なくとも一部分は、ビデオおよびオーディオから選ばれる、請求項１に記載の方法。
【請求項１１】
前記第１のデバイスが、前記少なくとも１つの追加のデバイスに前記マルチメディア通信セッションの前記識別された少なくとも一部分を向けることは、前記第２のデバイスおよび前記少なくとも１つの追加のデバイスに前記マルチメディア通信セッションの前記識別された少なくとも一部分を同時放送することを備える、請求項１に記載の方法。
【請求項１２】
前記少なくとも１つの追加のデバイスは、電話機、テレビ、タブレットコンピューティングデバイス、およびパーソナルコンピューティングデバイスから選ばれる、請求項１に記載の方法。
【請求項１３】
複数のデバイスが通信することを可能にするためのシステムであって、
第１のロケーションに位置する第１の電話機および第２のロケーションに位置する第２の電話機と、前記第１の電話機および前記第２の電話機は、マルチメディア通信セッションに携わる、
前記第１の電話機および前記第２の電話機のいずれかによってアクセス可能な前記第１のロケーションおよび前記第２のロケーションのいずれかにおける追加のデバイスと、
前記第１の電話機および前記第２の電話機のいずれかによって、前記第１のロケーションおよび前記第２のロケーションのうちの１つにおける少なくとも１つの追加のデバイスにルーティングされる前記マルチメディア通信セッションの少なくとも一部分と、
を備える、システム。
【請求項１４】
前記第１の電話機、前記第２の電話機、および前記少なくとも１つの追加のデバイスの各々は、ルーティング可能なアドレスを使用して個別にアドレス指定可能である、請求項１３に記載のシステム。
【請求項１５】
前記少なくとも１つの追加のデバイス内に位置する要素は、ルーティング可能なアドレスを使用して個別にアドレス指定可能である、請求項１４に記載のシステム。
【請求項１６】
前記ルーティング可能なアドレスは、電話番号に相関されるＩＰアドレスを備える、請求項１４に記載のシステム。
【請求項１７】
前記ＩＰアドレスは、前記少なくとも１つの追加のデバイスに関連付けられた能力に相関される、請求項１６に記載のシステム。
【請求項１８】
前記マルチメディア通信セッションは、ボイスオーバＩＰ（ＶｏＩＰ）呼である、請求項１３に記載のシステム。
【請求項１９】
前記ＶｏＩＰ呼は、第１のデータおよび第２のデータを備え、前記第２のデータは、前記少なくとも１つの追加のデバイスに転送される、請求項１８に記載のシステム。
【請求項２０】
第１のデバイスおよび第２のデバイスを認証することをさらに備える、請求項１３に記載のシステム。
【請求項２１】
前記マルチメディア通信セッションの前記少なくとも一部分は、ビデオおよびオーディオから選ばれる、請求項１３に記載のシステム。
【請求項２２】
前記マルチメディア通信セッションの前記少なくとも一部分が前記少なくとも１つの追加のデバイスにルーティングされることは、第２のデバイスおよび前記少なくとも１つの追加のデバイスに前記マルチメディア通信セッションの前記少なくとも一部分を同時放送することを備える、請求項１３に記載のシステム。
【請求項２３】
前記少なくとも１つの追加のデバイスは、電話機、テレビ、タブレットコンピューティングデバイス、およびパーソナルコンピューティングデバイスから選ばれる、請求項１３に記載のシステム。
【請求項２４】
複数のデバイスが通信することを可能にするためのシステムであって、
第１のデバイスと第２のデバイスとの間でマルチメディア通信セッションを開始するための手段と、前記第１および第２のデバイスの各々は少なくとも１つの追加のデバイスへのアクセスを有し、
前記少なくとも１つの追加のデバイスに向ける前記マルチメディア通信セッションの少なくとも一部分を識別するための手段と、前記第１のデバイスは、前記少なくとも１つの追加のデバイスの一意の識別子を取得し、
前記少なくとも１つの追加のデバイスに前記マルチメディア通信セッションの前記識別された少なくとも一部分を向けるための手段と、
を備える、システム。
【請求項２５】
第１のデバイスと第２のデバイスとの間でマルチメディア通信セッションを開始するための前記手段は、前記第１のデバイスおよび前記第２のデバイスを認証するための手段をさらに備える、請求項２４に記載のシステム。
【請求項２６】
前記第１のデバイス、前記第２のデバイス、および前記少なくとも１つの追加のデバイスの各々は、ルーティング可能なアドレスを使用して個別にアドレス指定可能である、請求項２４に記載のシステム。
【請求項２７】
前記少なくとも１つの追加のデバイス内に位置する要素は、ルーティング可能なアドレスを使用して個別にアドレス指定可能である、請求項２６に記載のシステム。
【請求項２８】
前記ルーティング可能なアドレスは、電話番号に相関されるＩＰアドレスを備える、請求項２６に記載のシステム。
【請求項２９】
前記ＩＰアドレスは、前記少なくとも１つの追加のデバイスに関連付けられた能力に相関される、請求項２８に記載のシステム。
【請求項３０】
前記マルチメディア通信セッションは、ボイスオーバＩＰ（ＶｏＩＰ）呼である、請求項２４に記載のシステム。
【請求項３１】
前記ＶｏＩＰ呼は、第１のデータおよび第２のデータを備え、前記第２のデータは、前記少なくとも１つの追加のデバイスに転送される、請求項３０に記載のシステム。
【請求項３２】
前記第１のデバイスは、前記第２のデバイスから前記一意の識別子を取得する、請求項２４に記載のシステム。
【請求項３３】
前記マルチメディア通信セッションの前記少なくとも一部分は、ビデオおよびオーディオから選ばれる、請求項２４に記載のシステム。
【請求項３４】
前記第１のデバイスが、前記少なくとも１つの追加のデバイスに前記マルチメディア通信セッションの前記識別された少なくとも一部分を向けることは、前記第２のデバイスおよび前記少なくとも１つの追加のデバイスに前記マルチメディア通信セッションの前記識別された少なくとも一部分を同時放送するための手段を備える、請求項２４に記載のシステム。
【請求項３５】
前記少なくとも１つの追加のデバイスは、電話機、テレビ、タブレットコンピューティングデバイス、およびパーソナルコンピューティングデバイスから選ばれる、請求項２４に記載のシステム。
【請求項３６】
複数のデバイスが通信することを可能にするための、プロセッサによる実行のためのコンピュータコードを記憶した非一時的なコンピュータ可読媒体であって、
第１のデバイスと第２のデバイスとの間でマルチメディア通信セッションを開始するための第１のコードセグメントと、前記第１および第２のデバイスの各々は少なくとも１つの追加のデバイスへのアクセスを有し、
前記少なくとも１つの追加のデバイスに向ける前記マルチメディア通信セッションの少なくとも一部分を識別するための第２のコードセグメントと、前記第１のデバイスは、前記少なくとも１つの追加のデバイスの一意の識別子を取得し、
前記少なくとも１つの追加のデバイスに前記マルチメディア通信セッションの前記識別された少なくとも一部分を向けるための第３のコードセグメントと、
を備える、コンピュータ可読媒体。
【請求項３７】
第１のデバイスと第２のデバイスとの間でマルチメディア通信セッションを開始するための前記第１のコードセグメントは、前記第１のデバイスおよび前記第２のデバイスを認証するための第４のコードセグメントをさらに備える、請求項３６に記載のコンピュータ可読媒体。
【請求項３８】
前記第１のデバイス、前記第２のデバイス、および前記少なくとも１つの追加のデバイスの各々は、ルーティング可能なアドレスを使用して個別にアドレス指定可能である、請求項３６に記載のコンピュータ可読媒体。
【請求項３９】
前記少なくとも１つの追加のデバイス内に位置する要素は、ルーティング可能なアドレスを使用して個別にアドレス指定可能である、請求項３８に記載のコンピュータ可読媒体。
【請求項４０】
前記ルーティング可能なアドレスは、電話番号に相関されるＩＰアドレスを備える、請求項３８に記載のコンピュータ可読媒体。
【請求項４１】
前記ＩＰアドレスは、前記少なくとも１つの追加のデバイスに関連付けられた能力に相関される、請求項４０に記載のコンピュータ可読媒体。
【請求項４２】
前記マルチメディア通信セッションは、ボイスオーバＩＰ（ＶｏＩＰ）呼である、請求項３６に記載のコンピュータ可読媒体。
【請求項４３】
前記ＶｏＩＰ呼は、第１のデータおよび第２のデータを備え、前記第２のデータは、前記少なくとも１つの追加のデバイスに転送される、請求項４２に記載のコンピュータ可読媒体。
【請求項４４】
前記第１のデバイスは、前記第２のデバイスから前記一意の識別子を取得する、請求項３６に記載のコンピュータ可読媒体。
【請求項４５】
前記マルチメディア通信セッションの前記少なくとも一部分は、ビデオおよびオーディオから選ばれる、請求項３６に記載のコンピュータ可読媒体。
【請求項４６】
前記第１のデバイスが、前記少なくとも１つの追加のデバイスに前記マルチメディア通信セッションの前記識別された少なくとも一部分を向けることは、前記第２のデバイスおよび前記少なくとも１つの追加のデバイスに前記マルチメディア通信セッションの前記識別された少なくとも一部分を同時放送することを備える、請求項３６に記載のコンピュータ可読媒体。
【請求項４７】
前記少なくとも１つの追加のデバイスは、電話機、テレビ、タブレットコンピューティングデバイス、およびパーソナルコンピューティングデバイスから選ばれる、請求項３６に記載のコンピュータ可読媒体。
【請求項４８】
デバイス間でデータを共有するための方法であって、
通信デバイスを使用してマルチメディア音声通信セッションに参加することと、
前記通信デバイスが、前記通信デバイスが位置するロケーションに位置する少なくとも１つの追加のデバイスにアクセスすることと、
前記少なくとも１つの追加のデバイスに前記マルチメディア音声通信セッションの少なくとも一部を前記通信デバイスから転送することと、
を備える、方法。
【請求項４９】
前記通信デバイスおよび前記少なくとも１つの追加のデバイスは、ルーティング可能なアドレスを使用して個別にアドレス指定可能である、請求項４８に記載の方法。
【請求項５０】
前記少なくとも１つの追加のデバイス内に位置する要素は、ルーティング可能なアドレスを使用して個別にアドレス指定可能である、請求項４９記載の方法。
【請求項５１】
前記ルーティング可能なアドレスは、電話番号に相関されるＩＰアドレスを備える、請求項４９に記載の方法。
【請求項５２】
前記ＩＰアドレスは、前記少なくとも１つの追加のデバイスに関連付けられた能力に相関される、請求項５１に記載の方法。
【請求項５３】
前記マルチメディア音声通信セッションは、ボイスオーバＩＰ（ＶｏＩＰ）呼である、請求項４８に記載の方法。
【請求項５４】
前記ＶｏＩＰ呼は、第１のデータおよび第２のデータを備え、前記第２のデータは、前記少なくとも１つの追加のデバイスに転送される、請求項５３に記載の方法。
【発明の詳細な説明】
【背景技術】
【０００１】
[0001]昨今、多種多様のモバイル通信デバイスおよびコンピューティングデバイスが存在している。対話のための基礎として２つ以上のデバイスに共通のアクティビティを使用して当該２つ以上のデバイスが対話することを可能にする方法を有することが望ましいであろういくつかの事例が存在している。共通のアクティビティの例は、２つのデバイス間で生じる電話呼である。これらの通信およびコンピューティングデバイスの多くは、それらが共通のインターネットプロトコル（ＩＰ）アドレス指定（adrressing）スキームを共有する、または共有するようにさせられうるので、インターネットプロトコル（ＩＰ）を使用して通信する能力を有する。音声（ボイス）通信のためのＩＰアドレス指定および通信のサブセットは、ボイスオーバ―ＩＰ（ＶｏＩＰ）と称される。
【０００２】
[0002]現在、複数のデバイスがＩＰアドレス指定を使用して通信する能力を有するけれども、ＶｏＩＰ呼が特定のデバイス上で受信されるとき、呼は通常、ＶｏＩＰセッションの持続時間の間、そのデバイスに制限される。しかしながらいくつかの事例では、１つより多いデバイスへのＶｏＩＰセッションの少なくとも複数の部分を共有する方法を有することが望ましいだろう。
【発明の概要】
【０００３】
[0003]複数のデバイスが通信することを可能にする方法の実施形態は、第１のデバイスと第２のデバイスとの間でマルチメディア通信セッションを開始することと、ここにおいて第１と第２のデバイスの各々は、少なくとも１つの追加のデバイスへのアクセスを有し、当該少なくとも１つの追加のデバイスに向ける（direct）当該マルチメディア通信セッションの少なくとも一部分を識別することと、当該第１のデバイスは、当該少なくとも１つの追加のデバイスの一意の識別子を取得し、当該少なくとも１つの追加のデバイスに当該マルチメディア通信セッションの当該識別された少なくとも一部分を向けることと、を備える。
【０００４】
[0004]複数のデバイスが通信することを可能にするためのシステムの実施形態は、第１のロケーションに位置する第１の電話機、および第２のロケーションに位置する第２の電話機を備え、第１の電話機および第２の電話機はマルチメディア通信セッションに携わり、第１のロケーションおよび第２のロケーションのいずれかにおける追加のデバイスは、第１の電話機および第２の電話機のいずれかによってアクセス可能であり、マルチメディア通信セッションの少なくとも一部分は、第１の電話機および第２の電話機のいずれかによって、第１のロケーションおよび第２のロケーションのうちの１つにおける少なくとも１つの追加のデバイスにルーティングされる。
【０００５】
[0005]図面では、他の方法で示されていない限り、同じ参照番号が、様々なビュー全体を通じて、同じ部分を指す。「１０２ａ」または「１０２ｂ」のような文字指定を有する参照番号では、文字指定は、同じ図面に存在する２つの同じ部分または要素を区別することができる。参照番号に対する文字指定は、参照番号がすべての図面における、同じ参照番号を有するすべての部分を包含することが意図されているとき、省略されることができる。
【図面の簡単な説明】
【０００６】
【図１】複数のデバイスがネットワークにおいて通信することを可能にするためのシステムおよび方法の第１の実施形態を例示しているブロック図である。
【図２】図１のデータベースに含まれうる実例となる情報を例示しているブロック図である。
【図３】複数のデバイスがネットワークにおいて通信することを可能にするためのシステムおよび方法が実装されうるデバイスの例を例示しているブロック図である。
【図４】複数のデバイスがネットワークにおいて通信することを可能にするための方法の動作の例を例示しているフローチャートである。
【図５】呼の一部分が追加のデバイスにルーティングされる実例となるＶｏＩＰ呼を図示しているグラフィックの例示である。
【発明を実施するための形態】
【０００７】
[0011]「典型的（exemplary）」という言葉は、「例、事例、または例示としての役目をする」を意味するように本明細書では使用される。「典型的」として本明細書で説明されているあらゆる態様は、必ずしも、他の態様よりも好ましい、または有利であると解釈されるものではない。
【０００８】
[0012]本説明では、「アプリケーション」という用語もまた、オブジェクトコード、スクリプト、バイトコード、マークアップ言語ファイル、およびパッチのような実行可能なコンテンツを有するファイルを含むことができる。加えて、本明細書で言及される「アプリケーション」はまた、開かれる必要がありうる文書、またはアクセスされる必要がある他のデータファイルのような、性質上実行可能でないファイルを含むことができる。
【０００９】
[0013]「コンテンツ」という用語もまた、オブジェクトコード、スクリプト、バイトコード、マークアップ言語ファイル、およびパッチのような実行可能なコンテンツを有するファイルを含むことができる。加えて、本明細書で言及される「コンテンツ」はまた、開かれる必要がありうる文書、またはアクセスされる必要がある他のデータファイルのような、性質上実行可能でないファイルを含むことができる。
【００１０】
[0014]本説明で使用されている場合、「コンポーネント」、「データベース」、「モジュール」、「システム」等の用語は、ハードウェア、ファームウェア、ハードウェアとソフトウェアの組み合わせ、ソフトウェア、または実行中のソフトウェアのいずれか、のコンピュータ関連エンティティを指すように意図されている。例えば、コンポーネントは、プロセッサ上で稼働しているプロセス、プロセッサ、オブジェクト、実行ファイル、実行スレッド、プログラム、および／またはコンピュータでありうるけれどもそれらであることには限定されない。例示の目的で、コンピューティングデバイス上で稼働しているアプリケーションと、コンピューティングデバイスの両方がコンポーネントでありうる。１つまたは複数のコンポーネントは、プロセスおよび／または実行スレッド内に存在することができ、コンポーネントは、１つのコンピュータ上で局所化、および／または、２つ以上のコンピュータ間で分散されることができる。加えて、これらのコンポーネントは、様々なデータ構造を記憶した様々なコンピュータ可読媒体により実行することができる。コンポーネントは、１つまたは複数のデータパケット（信号を手段として、ローカルシステム中で、分散型システム中で、または他のシステムとのインターネットのようなネットワークをわたって、別のコンポーネントと対話する１つのコンポーネントからのデータ）を有する信号にしたがうような、ローカルおよび／または遠隔プロセスによって通信することができる。
【００１１】
[0015]本明細書で使用されている場合、「ルーティング可能なデバイス」という用語は、例えば、電話番号ベースのアドレス指定スキーム、ＩＰアドレス指定スキーム、ユニフォームリソースロケーション（ＵＲＬ）アドレス指定スキーム、または他の一意のアドレス指定スキーム等の、ユニバーサルアドレス指定スキームを使用して一意にアドレス指定可能であるデバイスを指す。
【００１２】
[0016]本明細書で使用されている場合、「ルーティング可能な通信デバイス」および「ルーティング可能なコンピューティングデバイス」という用語は、例えば、電話番号ベースのアドレス指定スキーム、ＩＰアドレス指定スキーム、ユニフォームリソースロケーション（ＵＲＬ）アドレス指定スキーム、または他の一意のアドレス指定スキーム等の、ユニバーサルアドレス指定スキームを使用して一意にアドレス指定可能である通信デバイスまたはコンピューティングデバイスを指す。
【００１３】
[0017]複数のデバイスがネットワークにおいて通信することを可能にするためのシステムおよび方法は、別のルーティング可能な通信デバイスまたはコンピューティングデバイスとの双方向通信に関与するあらゆるルーティング可能な通信デバイスまたはコンピューティングデバイスにおいて実装されうる。
【００１４】
[0018]複数のデバイスがネットワークにおいて通信することを可能にするためのシステムおよび方法は、１つまたは複数の通信ネットワークをわたって動作する通信デバイスまたはコンピューティングデバイスにおいて実装されうる。例として、複数のデバイスがネットワークにおいて通信することを可能にするためのシステムおよび方法は、「Ｂｌｕｅｔｏｏｔｈ（登録商標）」通信帯域と称されるＲＦ周波数、ＩＥＥＥ８０２．１１ｂ／ｇ／ｎ規格によって特定されるＲＦ周波数をわたって動作する通信デバイスまたはコンピューティングデバイスにおいて、セルラ通信周波数をわたって動作する通信デバイスにおいて、実装されることができ、ならびに任意のタイプのネットワーク上で任意の無線周波数において動作する通信デバイスにおいて実装されることができる。
【００１５】
[0019]多くの異なる使用に適用可能であるけれども、ある実施形態では、複数のデバイスがネットワークにおいて通信することを可能にするためのシステムおよび方法により、複数のデバイス間でＶｏＩＰセッションの少なくとも複数の部分を分配または分割することが可能になる。例えば、ある人が自分の家の中に入ると、ＶｏＩＰ呼が電話機で受信される。個人が自分のデスクに着くとき、ＶｏＩＰセッションの音声部分が電話機に留まる一方で、ＶｏＩＰセッションの任意の利用可能なビデオ出力を彼らのコンピュータもしくはテレビ上に表示させること、または彼らのコンピュータに関連付けられたカメラにビデオをキャプチャさせ、他方の電話相手にそれを送ること、が望ましくありうる。このシナリオを例として使用すると、入ってくる（incoming）ビデオは、呼受信側のコンピュータ上に表示され、出ていく（outgoing）ビデオは、発呼側グループ（calling party）のディスプレイに転送されるけれども、呼受信側がコンピュータから離れるように移動してもオーディオ接続を損失しないように、オーディオ部分は電話機に留まる。
【００１６】
[0020]図１は、複数のデバイスがネットワークにおいて通信することを可能にするためのシステムおよび方法の第１の実施形態を例示しているブロック図である。システム１００は、第１のロケーション１０２および第２のロケーション１３２を備える。第１のロケーション１０２は、電話機１０４、タブレットコンピュータ１０８、パーソナルコンピュータ（ＰＣ）１１０、およびテレビ１１２のような、いくつかの個別にアドレス指定可能な、かつ接続可能なデバイスを備える。第１のロケーション１０２におけるデバイスの各々はまた、統合アプリケーション１１６のインスタンスを備える。統合アプリケーション１１６は、第１のロケーション１０２におけるデバイスの各々が、第２のロケーション１３２におけるデバイスと通信および相互運用することを可能にするための手段を提供する。デバイスの各々は、敷地内ネットワーク（premises network）１１４をわたって論理的に接続される。敷地内ネットワーク１１４は、有線ネットワーク、ワイヤレスネットワーク、または有線およびワイヤレスネットワークの組み合わせを備えることができる。敷地内ネットワーク１１４の例は、ＩＥＥＥ８０２．１１ｂ／ｇ／ｎ規格の１つまたは複数を通じて通信および相互運用する能力を有するコンポーネントを使用して実装されるワイヤレスフィデリティ（ＷｉＦｉ（登録商標））ネットワークである。ＷｉＦｉという用語は一般に、ＩＥＥＥ８０２．１１ｂ／ｇ／ｎ規格にしたがって確立される接続を指すけれども、Ｂｌｕｅｔｏｏｔｈ、赤外線（ＩＲ）および他の接続のような、他のワイヤレス接続を含むようにも企図されている。
【００１７】
[0021]ある実施形態では、統合アプリケーション１１６のスタンドアローンのインスタンスも、ネットワーク１１４に接続されて、第１のロケーション１０２に存在することができる。例として、統合アプリケーション１１６は、メモリ１１７に記憶され、かつネットワーク１１４に位置するプロセッサ１１８によって実行されるコードを備えることができる。この方法で、統合アプリケーション１１６が特定のデバイスに組み込まれていない場合でさえ、第１のロケーション１０２におけるデバイスの各々は、統合アプリケーション１１６にアクセスすることができる。ネットワーク１１４に接続された要素同士、および要素間のこの通信は、遠隔プロシージャ呼を許容するピアツーピア通信技術を使用して生じうる。ピアツーピア通信技術の例は、ＡｌｌＪｏｙｎである。
【００１８】
[0022]第１のロケーション１０２におけるデバイスの各々は、アドレス指定スキームを使用して一意に識別されうる。そのようなアドレス指定スキームの例は、電話番号ベースのアドレス指定スキーム、ＩＰアドレスベースのアドレス指定スキーム、ＵＲＬベースのアドレス指定スキーム、または各デバイス、および各デバイス内の個別のコンポーネントに一意の識別子を割り当てることができる別のアドレス指定スキームを含む。各デバイスを一意に識別するためのそのようなアドレス指定スキームを使用すると、デバイスの各々は、ＶｏＩＰ呼のような通信セッションの１つまたは複数の要素が各デバイスにルーティングされうる点で、「ルーティング可能なデバイス」であると言われる。
【００１９】
[0023]同様に、第２のロケーション１３２は、電話機１３４、タブレットコンピュータ１３８、ＰＣ１４０、およびテレビ１４２のような、いくつかの個別にアドレス指定可能な、かつ接続可能なデバイスを備える。これらのデバイスの各々は、敷地内ネットワーク１４４をわたって論理的に接続される。敷地内ネットワーク１４４は、敷地内ネットワーク１１４に類似する。第２のロケーション１３２におけるデバイスの各々はまた、統合アプリケーション１４６のインスタンスを備える。統合アプリケーション１４６は、第２のロケーション１３２における接続されたデバイスの各々が、第１のロケーション１０２におけるデバイスと通信および相互運用することを可能にするための手段を提供する。
【００２０】
[0024]第２のロケーション１３２におけるデバイスの各々は、上記で説明されたように、アドレス指定スキームを使用して一意に識別されうる。そのようなアドレス指定スキームを使用すると、デバイスの各々は、ＶｏＩＰ呼のような通信セッションの１つまたは複数の要素が各デバイスにルーティングされうる点で、「ルーティング可能なデバイス」であると言われる。
【００２１】
[0025]ある実施形態では、統合アプリケーション１４６のスタンドアローンのインスタンスも、ネットワーク１４４に接続されて、第２のロケーション１３２に存在することができる。例として、統合アプリケーション１４６は、メモリ１４７に記憶され、かつネットワーク１４４に位置するプロセッサ１４８によって実行されるコードを備えることができる。この方法で、統合アプリケーション１４６が特定のデバイスに組み込まれない場合でさえ、第２のロケーション１３２におけるデバイス各々は、統合アプリケーション１４６にアクセスすることができる。ネットワーク１４４に接続された要素同士、および要素間のこの通信は、遠隔プロシージャ呼を許容するピアツーピア通信技術を使用して生じうる。ピアツーピア通信技術の例は、ＡｌｌＪｏｙｎである。
【００２２】
[0026]第１のロケーション１０２はまた、ワイドエリアネットワーク（ＷＡＮ）およびローカルエリアネットワーク（ＬＡＮ）のうちの１つまたは複数を通じて第２のロケーション１３２に接続されうる。ある実施形態では、第１のロケーション１０２および第２のロケーション１３２は、ネットワーク１５０に接続されうる。ある実施形態では、ネットワーク１５０は、インターネットのようなワイドエリアネットワーク（ＷＡＮ）であるか、イントラネットであるか、または任意の他のワイドエリアネットワークでありうる。
【００２３】
[0027]第１のロケーション１０２は、１つまたは複数の接続を使用してネットワーク１５０に接続されうる。例として、第１のロケーション１０２は、概して３Ｇ接続１５２と本明細書において称されるけれどもあらゆるおよびすべてのセルラタイプの接続を含むように企図された、セルラタイプ接続をわたってネットワーク１５０に接続されることができ、アクセスポイント１５６を経由しＷｉＦｉ接続１５４をわたってネットワーク１５０に接続されうる。ある実施形態では、アクセスポイント１５６は、ＩＥＥＥ８０２．１１ｂ／ｇ／ｎ規格にしたがって動作するワイヤレスアクセスポイントまたはワイヤレスルータでありうる。ＷｉＦｉという用語は一般に、ＩＥＥＥ８０２．１１ｂ／ｇ／ｎ規格にしたがって確立される接続を指すけれども、Ｂｌｕｅｔｏｏｔｈ、赤外線（ＩＲ）および他の接続のような、他のワイヤレス接続を含むようにも企図されている。アクセスポイント１５６は、接続１５８を通じてネットワーク１５０に接続されうる。接続１５８は、当技術分野で知られているように、地上の有線およびワイヤレス接続を含むことができる。同様に第２のロケーション１３２は、１つまたは複数の接続を使用してネットワーク１５０に接続されうる。例として、第２のロケーション１３２は、概して３Ｇ接続１６２と本明細書において称されるけれどもあらゆるおよびすべてのセルラタイプの接続を含むように企図された、セルラタイプ接続をわたってネットワークに接続されることができ、アクセスポイント１６６を経由しＷｉＦｉ接続１６４をわたってネットワーク１５０に接続されうる。ある実施形態では、アクセスポイント１６６は、ＩＥＥＥ８０２．１１ｂ／ｇ／ｎ規格にしたがって動作するワイヤレスアクセスポイントまたはワイヤレスルータでありうる。アクセスポイント１６６は、接続１６８を通じてネットワーク１５０に接続されうる。接続１６８は、当技術分野で知られているように、地上の有線およびワイヤレス接続を含むことができる。
【００２４】
[0028]説明の便宜上、第１のロケーション１０２における電話機１０４は、「第１の」電話機と適宜称され、第２のロケーション１３２における電話機１３４は、「第２の」電話機と適宜称されうる。しかしながらどちらの電話機も、第１の電話機か、または第２の電話機のどちらかでありうる。同様に、どちらの電話機も発呼側電話機か、または着信側電話機でありうるという理解を伴いながら、電話機のうちの１つはまた「発呼側電話機（calling party）」と称されることになり、もう一方の電話機は、「着信側電話機（called phone）」と称されることになる。さらに、第１のロケーション１０２および第２のロケーション１３２と称されているけれども、ロケーション１０２および１３２のどちらも第１のロケーションか第２のロケーションでありうる。さらにどちらかの、または両方の電話機１０４および電話機１３４は、第１のロケーション１０２および第２のロケーション１３２以外のロケーションからロケーション１０２および１３２に移動することができる。例えば電話機１０４は、ロケーションからロケーションへとユーザによって運ばれるセルラ電話機でありうる。そのような例では、電話機１０４は、ロケーション１０２から離れて位置するときは呼の一部であり、その後ユーザがロケーション１０２に到着したときに呼を継続することができる。
【００２５】
[0029]第１のロケーション１０２および第２のロケーション１３２は、データベース１１９へのアクセスを有する。データベース１１９は、第１のロケーション１０２および第２のロケーション１３２に対して内部にあるか、または第１のロケーション１０２および第２のロケーション１３２に対して外部にあることができる。データベース１１９はまた、ネットワーク接続１２１を通じてネットワーク１５０をわたって第１のロケーション１０２および第２のロケーション１３２のいずれにもアクセス可能でありうる。データベース１１９は、第１のロケーション１０２および第２のロケーション１３２におけるデバイスの特徴および能力のそれぞれを個々に識別する一意のデバイスアドレスおよびデバイス能力を含む。
【００２６】
[0030]例えば、統合アプリケーション１１６は、ネットワーク１１４に接続されたデバイスに関連する一意の識別情報を編成および収集する。この情報は、例えば、各デバイスに関する一意の識別子、および各デバイスの能力を含むことができる。ある実施形態では、この情報は、電話機１０４に利用可能にされ、電話機１０４に関連付けられたデータベース１１１の一部にされうる。そのようなデータベース１１１は、例えば、電話機１０４の一部である、または電話機１０４によってアクセス可能であるデバイス属性およびデバイスのアドレス帳または他のリストでありうる。この情報はまた、データベース１１９に記憶されることもできる。
【００２７】
[0031]同様に、統合アプリケーション１４６は、ネットワーク１４４に接続されたデバイスに関連する一意の識別情報を編成および収集する。この情報は、例えば、各デバイスに関する一意の識別子、および各デバイスの能力を含むことができる。ある実施形態では、この情報は、電話機１３４に利用可能にされ、電話機１３４に関連付けられたデータベース１４１の一部にされうる。そのようなデータベース１４１は、例えば、電話機１３４の一部である、または電話機１０４によってアクセス可能であるデバイス属性およびデバイスのアドレス帳または他のリストでありうる。この情報はまた、データベース１１９に記憶されることもできる。
【００２８】
[0032]ある実施形態では、電話機１０４および電話機１３４は、ＶｏＩＰ呼のような、マルチメディア通信セッション１２５に関与する。ＶｏＩＰ呼は、他のマルチメディア通信セッションが可能であるという理解を伴いながら、例として使用される。単に例として、電話機１０４は、電話機１３４を呼び出すことによってＶｏＩＰセッションを開始したと仮定する。一度呼が電話機１０４と電話機１３４との間で確立されると、電話機１０４および電話機１３４の各々は、それぞれのネットワーク１１４および１４４を通じて、それらのそれぞれの第１のロケーション１０２および第２のロケーション１３２に位置する他のデバイスに接続する。言い換えると、電話機１０４は、第１のロケーション１０２における、および第２のロケーション１３２における、デバイスのすべてに気づかされる。同様に、電話機１３４は、第１のロケーション１０２における、および第２のロケーション１３２における、デバイスのすべてに気づかされる。
【００２９】
[0033]各ロケーション１０２、１３２におけるデバイスの各々は、ルーティング可能なアドレスを使用して個別にアドレス指定可能であり、かつ一意に識別可能であり、第１のロケーション１０２および第２のロケーション１３２における任意のデバイスが認識されることを可能にし、ならびに第１の電話機１０４および第２の電話機１３４と通信することを可能にする。さらに、各デバイス内の要素がさらに個別にアドレス指定可能、かつルーティング可能であることが可能である。単に例として、ＰＣ１１０におけるマイクロフォン１１５は、一意のＩＰアドレスを有することができる。あるロケーションにおけるこれらの一意のルーティング可能なアドレスのすべてが、他のロケーションにおけるデバイスにとって可視的にされ、利用可能にされうる。
【００３０】
[0034]このように、ＶｏＩＰ呼が電話機１０４と電話機１３４との間で確立されることを仮定すると、ＶｏＩＰ呼は、第１の電話機１０４と第２の電話機１３４との間の通信セッションを認証する方法として使用されうる。ＶｏＩＰ呼中、認証が完了した後、電話機１０４が、電話機１３４以外の第２のロケーション１３２におけるデバイスを用いること、および第１のロケーション１０２におけるデバイスを用いることが可能である。同様に、電話機１３４が、電話機１０４以外の第１のロケーション１０２におけるデバイスを用いること、および第２のロケーション１３２におけるデバイスを用いることが可能である。そのような使用の例は、音声（ボイス）コンポーネントおよびビデオコンポーネントを含むＶｏＩＰ呼である。電話機１０４が電話機１３４への呼を開始すると仮定する。一度呼が確立されると、電話機１０４上の統合アプリケーション１１６のインスタンスは、電話機１３４上の統合アプリケーション１４６のインスタンスから情報を受信する。情報は、例えば、敷地内ネットワーク１４４に接続され、個別にアドレス指定可能かつルーティング可能である第２のロケーション１３２におけるデバイスのリストを含むことができる。同様に、電話機１３４上の統合アプリケーション１４６のインスタンスは、電話機１０４上の統合アプリケーション１１６のインスタンスから情報を受信する。情報は、例えば、敷地内ネットワーク１１４に接続され、個別にアドレス指定可能かつルーティング可能である第１のロケーション１０２におけるデバイスのリストを含むことができる。このように、電話機１０４が発呼側電話機であり、電話機１３４が着信側電話機であるという例を使用して、電話機１０４がマルチメディア通信セッションの少なくとも一部分を向ける（direct）ように電話機１３４が望む第２のロケーション１３２におけるデバイスのＩＰアドレスを、電話機１３４は送ることができる。この簡略的な例を使用して、第２の電話機１３４は、電話機１０４にＴＶ１４２のＩＰアドレスを送ることができ、それにより、電話機１０４がＴＶ１４２にマルチメディア通信セッションのビデオ部分を向けることを要求する。
【００３１】
[0035]図２は、図１のデータベース１１９に含まれうる実例となる情報を例示しているブロック図である。データベース１１９は、特定のデバイスの一意のルーティング可能なアドレスおよび能力に関連する情報を含む識別情報表（identification table）２０２を含むことができる。例として、表２０２は、第１のロケーション１０２および第２のロケーション１３２におけるデバイスのための「ルーティング可能なアドレス」と称されるものを含むことができる。例えば、電話機１０４または電話機１３４は、対応する一意のＩＰアドレス１９２．１６８．ｎｎｎ．ｎｎｎに相関され、当該ＩＰアドレスを有する１０デジット電話番号によって識別されうる。デバイスＩＤおよびＩＰアドレスに関連付けられたデバイスの属性もまた、データベース１１９にリストされる。別の例として、デバイスＩＤ「５５５．５５５．５５５．ｔｖ」は、第１のロケーション１０２におけるＴＶ１１２に割り当てられた一意のＩＰアドレスに関連付けられ得るとともに、ＴＶ１１２は電話機１０４の電話番号（５５５．５５５．５５５５）によって電話機１０４に関連付けられている。当該デバイスＩＤは、「５５５．５５５．５５５．ｔｖ」に対応するインターネットプロトコル（ＩＰ）アドレス１９２．１６８．ｎｎｎ．ｎｎｎにマッピングする。表２０２はまた、対象デバイスＩＤ（the subject ID）に関連付けられたデバイスの属性も含む。属性は、当該対象デバイスの能力（capability）を定義する。
【００３２】
[0036]デバイスＩＤ５５５．５５５．５５５５．ｐｃは、第１のロケーション１０２におけるＰＣ１１０に割り当てられた一意のＩＰアドレスに関連付けられ得るとともに、ＰＣ１１０は電話機１０４の電話番号（５５５．５５５．５５５５）によって電話機１０４に関連付けられている。デバイスＩＤは、「５５５．５５５．５５５．ｐｃ」に対応するインターネットプロトコル（ＩＰ）アドレス１９２．１６８．ｎｎｎ．ｎｎｎにマッピングする。この例では、デバイスのいずれも、追加のアドレス指定可能な要素を含むことができる。例えば、ＰＣ１１０はさらに、マイクロフォンのような、別の１つまたは複数の要素を含むことができる。この例では、マイクロフォン１１５（図１）もまた、例えば、デバイスＩＤ５５５．５５５．５５５５．ｐｃ．ｍｉｃｒｏｐｈｏｎｅを使用して、ＩＤ表２０２において識別されうる。このように、第２のロケーション１３２における電話機１３４は、第１のロケーション１０２におけるデバイス（ＰＣ１１０）のルーティング可能なアドレスを使用し、そのデバイス（ＰＣ１１０）に情報を送ることができる。
【００３３】
[0037]表２０２に含まれた情報の少なくとも複数の部分は、それぞれのデータベース１１１および１４１における記憶のために、電話機１０４および電話機１３４の各々に送られることができる。このように、電話機１０４および電話機１３４の各々は、各ロケーション１０２および１３２における要素を一意に識別する識別子へのアクセスを有することができる。電話機１０４および１３２の各々、または各ロケーション１０２および１３２におけるデバイスのいずれも、表２０２からロケーション１０２および１３２におけるデバイスに関する更新された情報を取得するために、データベース１１９、１１１、および／または１４１（図１）を周期的に問い合わせることができる。
【００３４】
[0038]例として、電話機１０４は、電話機１０４がロケーションからロケーションへ移動すると周期的に表２０２に更新させることができ、ならびに他のデバイスに関連付けられるようになりうる。同様に、電話機１３４は、電話機１３４がロケーションからロケーションへ移動すると周期的に表２０２に更新させることができ、他のデバイスに関連付けられるようになりうる。電話機１０４および電話機１３４によって用いられうる技術の例は、ユニバーサルプラグアンドプレイアプリケーション（universal plug-n-play application）、またはネットワークを通じたデバイスの発見および相互運用を可能にする別の技術でありうる。
【００３５】
[0039]図３は、複数のデバイスがネットワークにおいて通信することを可能にするためのシステムおよび方法が実装されうるデバイス３００の例を例示しているブロック図である。デバイス３００は、第１のロケーション１０２または第２のロケーション１３２に位置する任意のデバイスの一般的な例であるが、ある実施形態でデバイス３００は、ワイヤレス通信デバイス、ポータブルセルラ電話機、ＷｉＦｉ対応通信デバイス、コンピューティングデバイス、テレビ、またはあらゆる他の通信もしくはコンピューティングデバイスであることができる。複数のデバイスがネットワークにおいて通信することを可能にするシステムおよび方法の実施形態は、上記で説明されたように、あらゆる通信デバイスまたはコンピューティングデバイスにおいて実装されうる。図３で例示されているデバイス３００は、セルラ電話機の概略化された例であるように意図されており、複数のデバイスがネットワークにおいて通信することを可能にするためのシステムおよび方法が実装されうる多くの可能なデバイスのうちの１つを例示するように意図されている。当業者は、ポータブルセルラ電話機の動作を理解することになり、それにより、実装の詳細は省略される。ある実施形態では、ワイヤレスデバイス３００は、システムバス３３２を通じて互いに接続されるベースバンドサブシステム３１０およびＲＦサブシステム３２０を含む。システムバス３３２は、上記で説明された要素を互いに結合し、それらの相互運用を可能にする物理および論理接続を備えることができる。ある実施形態では、ＲＦサブシステム３２０は、ワイヤレストランシーバでありうる。詳細が明確さのために図示されていないけれども、ＲＦサブシステム３２０は概して、当業者に知られているように、送信のために、ベースバンド情報信号を準備するための変調、アップコンバージョン、および増幅回路を有する送信モジュール３３０を含み、データを復元するために、ＲＦ信号を受信し、ＲＦ信号をベースバンド情報にダウンコンバートするための増幅、フィルタリング、およびダウンコンバージョン回路を有する受信モジュール３４０を含み、ダイプレクサ回路、デュプレクサ回路、または受信信号から送信信号を分離することができるあらゆる他の回路を含むフロントエンドモジュール（ＦＥＭ）３５０を含む。アンテナ３６０は、ＦＥＭ３５０に接続される。
【００３６】
[0040]ベースバンドサブシステムは概して、システムバス３１２を通じて結合された、汎用または特殊用途マイクロプロセッサでありうるプロセッサ３０２、メモリ３１４、アプリケーションソフトウェア３０４、統合アプリケーション３１６のインスタンス、データベース３１１、アナログ回路要素３０６、およびデジタル回路要素３０８を含む。システムバス３１２は、上記で説明された要素を互いに結合し、それらの相互運用を可能にするための物理および論理接続を備えることができる。ある実施形態では、データベース３１１は、図１で説明されたデータベース１１１および１４１に類似しており、ワイヤレスデバイス３００にとって利用可能なアドレス帳の部分を形成することができる。
【００３７】
[0041]入力／出力（Ｉ／Ｏ）要素３１５は、接続３２４を通じてベースバンドサブシステム３１０に接続され、メモリ要素３１８は、接続３２６を通じてベースバンドサブシステム３１０に結合される。Ｉ／Ｏ要素３１５は、例えば、マイクロフォン、キーパッド、スピーカ、ポインティングデバイス、ユーザインターフェース制御要素、およびユーザが入力コマンドを提供し、デバイス３００から出力を受信することを可能にするあらゆる他のデバイスまたはシステムを含むことができる。
【００３８】
[0042]メモリ３１８は、あらゆるタイプの揮発性または非揮発性メモリを含むことができ、ある実施形態では、フラッシュメモリを含むことができる。メモリ３１８は、デバイス３００に恒久的にインストールされうるか、または取り外し可能メモリカードのような、取り外し可能なメモリ要素でありうる。
【００３９】
[0043]プロセッサ３０２は、デバイス３００の動作および機能を制御するために、アプリケーションソフトウェア３０４および統合アプリケーション３１６を実行するあらゆるプロセッサでありうる。メモリ３１４は、揮発性または非揮発性メモリであることができ、ある実施形態では、アプリケーションソフトウェア３０４および統合アプリケーション３１６を保持する非揮発性メモリであることができる。
【００４０】
[0044]アナログ回路３０６およびデジタル回路３０８は、信号処理、信号変換、および送信されることになる情報信号に、Ｉ／Ｏ要素３１５によって提供される入力信号を変換するロジックを含む。同様に、アナログ回路３０６およびデジタル回路３０８は、復元された情報を含む情報信号を生成するために使用される信号処理要素を含む。デジタル回路３０８は、例えば、デジタルシグナルプロセッサ（ＤＳＰ）、フィールドプログラマブルゲートアレイ（ＦＰＧＡ）、またはあらゆる他の処理デバイスを含むことができる。ベースバンドサブシステム３１０がアナログ要素およびデジタル要素の両方を含むので、それは、混合信号デバイス（ＭＳＤ）と称されうる。
【００４１】
[0045]図４は、複数のデバイスがネットワークにおいて通信することを可能にするための方法の動作の例を例示しているフローチャートである。ブロック４０２では、ＶｏＩＰ呼のようなマルチメディア通信セッションは、電話機１０４と電話機１３４との間で確立される。電話機１０４と電話機１３４との間でマルチメディア通信セッションを確立することは、電話機１３４に対し電話機１０４を認証すること、および電話機１０４に対し電話機１３４を認証すること、を含むことができる。さらに、相互認証の代わりに、第３者（a third party）は、電話機１０４および電話機１３４を独立して認証することができる。
【００４２】
[0046]ブロック４０４では、電話機１０４は、第２のロケーション１３２に位置するデバイスに関する情報を電話機１３４から受信する。
【００４３】
[0047]ブロック４０６では、電話機１３４は、第１のロケーション１０２に位置するデバイスに関する情報を電話機１０４から受信する。
【００４４】
[0048]ブロック４０８では、電話機１３４は、第２のロケーション１３２におけるデバイスのうちの１つを呼に統合する。例えば、電話機１３４は、第２のロケーション１３２に位置するＰＣ１４０にＶｏＩＰ呼のビデオ部分を送ることができる。しかしながら一度接続が電話機１０４と電話機１３４との間で確立されると、暗黙的な認証が第１のロケーション１０２および第２のロケーション１３２におけるデバイス同士で、およびデバイス間で確立され、それにより、第１のロケーション１０２および第２のロケーション１３２のいずれかにおけるデバイスのいずれも通信することができるようになる。
【００４５】
[0049]別の例では、マルチメディア通信セッションが電話機１０４と電話機１３４との間で確立された後、電話機１０４および電話機１３４のいずれかが、ロケーション１０２またはロケーション１３２のどちらかにおける任意の追加のデバイスの一意の識別子、例えばＩＰアドレス、を送ることができ、その反対側のデバイスに対して、追加のデバイスにマルチメディア通信セッションの少なくとも一部分を送ることを指示する。そのようなスイッチングは、ＩＰアドレス、およびユニバーサルデータグラムプロトコル（ＵＤＰ）および／または送信制御プロトコル（ＴＣＰ）ソケットを使用して生じうる。
【００４６】
[0050]さらに、第１の電話機１０４および第２の電話機１３４のいずれかが、ロケーション１０２またはロケーション１３２における追加のデバイスにマルチメディア通信セッションの一部分を向けることは、また、デバイスおよび少なくとも１つの追加のデバイスの両方にマルチメディア通信セッションの一部分を同時放送することを含む。
【００４７】
[0051]特定のデバイス上に統合アプリケーション１１６、１４６のインスタンスをユーザがインストールするとき、データベース１１９からのデバイスクラス情報を使用して、統合アプリケーションおよび／またはユーザは、当該デバイスクラスのトップの利用可能な機能を識別することができ、その特定のデバイスのための当該アプリケーションのその特定のインスタンスをラベル付けすることができ、例えばＶＯＩＰｉｄ．ｌａｂｅｌ．ＤｅｖｉｃｅＣｌａｓｓである。例えば、５５５．５５５．５５５５．ｐｃ、５５５．５５５．５５５５．ｐｃ．ｍｉｃｒｏｐｈｏｎｅ、５５５．５５５．５５５５．ｔｖ等である。
【００４８】
[0052]このラベル付けは、ユーザが、どのデバイスをＶｏＩＰセッションに追加しているかを識別することを可能にする。ＶｏＩＰセッションに複数のユーザデバイスを追加し、一意にそれらを識別するアビリティがあると、多くの他の使用ケースが存在する。例えば、ＰＣまたはテレビに発呼側ＩＤ、Ｆａｃｅｂｏｏｋ（登録商標）写真等を表示し、ＰＣ上でカンファレンス呼ダイアルインをクリックするけれどもスマートフォン上でオーディオを得、どのデバイスがいつ／何に／どのステータスに使用されるかのデバイス管理を設定すること、例えば、仕事から入ってくるＶｏＩＰ呼はスマートフォンを鳴らすのみで、仕事以外から入ってくるＶｏＩＰ呼はタブレットをも鳴らすことができる、といった通信のための規則／フィルタを設定すること、より良いユーザエクスペリエンスを作るために、単独ではＶｏＩＰ中に送信される全コンテンツ（例えばテキスト、オーディオ、ビデオ）を扱うことができないだろうローカルデバイスを組み合わせて利用すること、などの使用ケースが存在する。
【００４９】
[0053]オールインワン「スマート」デバイスまたはアドオンデバイスが実装されることができ、ここでは、全てのデバイスが組み込まれたコンピュータ（ネットワーキング、処理、ストレージ、ＯＳ、アプリケーション等）を獲得し、その結果、すべてのデバイスが類似の機能を有し、完全なＶｏＩＰセッションを扱うことができる。
【００５０】
[0054]図５は、呼の一部分が追加のデバイスにルーティングされる例示のＶｏＩＰ呼を図示しているグラフィックの例示である。データストリーム５１０は、ヘッダ５１２、音声情報５１４、ビデオ情報５２４、およびトレーラー（trailer）５１６を含む代表的な一般的データストリームである。ある実施形態では、データストリーム５１０は、パケット化されたデータストリームであることができ、例示しやすくするために簡略化された方法で図示されている。
【００５１】
[0055]この例では、データストリーム５１０は、電話機１０４と電話機１３４との間で生じるＶｏＩＰ呼を表すことができる。デバイスＩＤ５５５．５５５．５５５５は、この例では、電話機１３４を指す。データストリーム５１０は、音声（ボイス）情報５１４およびビデオ情報５２４の両方を含む。電話機１３４は、音声情報５１４およびビデオ情報５２４の両方がデータストリーム５１０に含まれることを認識する。電話機１３４はまた、第１のロケーション１０２における他のデバイスの利用可能性に関する情報を電話機１０４から受信し、電話機１０４は、第２のロケーション１３２における他のデバイスの利用可能性に関する情報を電話機１３４から受信する。電話機１０４は、第１のロケーション１０２に位置する他のデバイスと通信しており、電話機１３４は、第２のロケーション１３２に位置する他のデバイスと通信している。
【００５２】
[0056]この例では、電話機１３４は、別のデバイスにデータストリーム５１０の一部分を転送することができる。この例では、データストリーム５１０がビデオ情報５２４も備えるので、電話機１３４は音声情報５１４を保持し、テレビ１４２のような、別のデバイスにビデオ情報５２４を転送し得る。データストリーム５２０は、音声情報５１４が電話機１３４に留まることを説明し、データストリーム５３０は、ビデオ情報５２４がＴＶ１４２に転送されることを説明する。
【００５３】
[0057]上記の開示の観点から、プログラミングの分野における当業者は難なく、例えば、本明細書における関連付けられた説明に基づいて、開示された発明を実装するための適切なハードウェアおよび／または回路を識別すること、または開示された発明を実装するためのコンピュータコードを書くことができる。したがって、プログラムコード命令の特定のセットまたは詳細なハードウェアデバイスの開示は、どのように本発明を製造および使用すべきかの十分な理解のために必要であると考えられない。特許請求される、コンピュータによって実装されるプロセスの発明的な機能は、上記の説明において、ならびに様々なプロセスフローを例示しうる図と関連して、より詳細に説明されている。
【００５４】
[0058]１つまたは複数の典型的な態様では、説明された機能は、ハードウェア、ソフトウェア、ファームウェア、またはこれらのあらゆる組み合わせで実装されうる。ソフトウェアで実装される場合、機能は、１つまたは複数の命令またはコードとしてコンピュータ可読媒体上に記憶されうる、あるいは、１つまたは複数の命令またはコードとしてコンピュータ可読媒体上で送信されうる。コンピュータ可読媒体は、１つの場所から別の場所へのコンピュータプログラムの転送を容易にするあらゆる媒体を含むコンピュータ記憶媒体および通信媒体の両方を含む。記憶媒体は、コンピュータによってアクセスされうるあらゆる利用可能な媒体であることができる。限定ではなく例として、このようなコンピュータ可読媒体は、ＲＡＭ、ＲＯＭ、ＥＥＰＲＯＭ（登録商標）、ＣＤ−ＲＯＭまたは他の光学ディスクストレージ、磁気ディスクストレージまたは他の磁気記憶デバイス、あるいは、命令またはデータ構造の形態で所望のプログラムコードを搬送または記憶するために使用され、かつ、コンピュータによってアクセスされうるあらゆる他の媒体を備えることができる。
【００５５】
[0059]また、いずれの接続手段もコンピュータ可読媒体と適切に名づけられる。例えば、ソフトウェアが、ウェブサイトから、サーバから、または、同軸ケーブル、光ファイバケーブル、ツイストペア、デジタル加入者線（「ＤＳＬ」）、または赤外線や、無線や、マイクロ波のようなワイヤレス技術を使用する他の遠隔ソースから送信された場合、同軸ケーブル、光ファイバケーブル、ツイストペア、ＤＳＬ、または、赤外線や、無線や、マイクロ波のようなワイヤレス技術は、媒体の定義に含まれる。
【００５６】
[0060]本明細書で使用されている場合、ディスク（disk）およびディスク（disc）は、コンパクトディスク（「ＣＤ」）、レーザーディスク（登録商標）、光学ディスク、デジタルバーサタイルディスク（「ＤＶＤ」）、フロッピー（登録商標）ディスク、およびブルーレイディスクを含み、ディスク（disk）は大抵データを磁気的に再生する一方で、ディスク（disc）はデータをレーザで光学的に再生する。上記の組み合わせはまた、コンピュータ可読媒体の範囲内に含まれるべきである。
【００５７】
[0061]選択された態様は、詳細に例示および説明されてきたけれども、様々な置換および代替が、以下の特許請求の範囲によって定義されるように、本発明の趣旨および範囲から逸脱することなく、そこになされうることは理解されるだろう。
【図１】
2016522589.tif 000003
【図２】
2016522589.tif 000004
【図３】
2016522589.tif 000005
【図４】
2016522589.tif 000006
【図５】
2016522589.tif 000007
【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
複数のデバイスが通信することを可能にするための方法であって、
第１のデバイスと第２のデバイスとの間でマルチメディア通信セッションを開始することと、前記第１および第２のデバイスの各々はローカルネットワークを介した少なくとも１つの追加のデバイスへのアクセスを有し、
前記第２のデバイスが、前記少なくとも１つの追加のデバイスに向ける前記マルチメディア通信セッションの少なくとも一部分を識別することと、
前記第２のデバイスが、データ記憶システムから前記少なくとも１つの追加のデバイスの一意の識別子を取得することと、前記データ記憶システムは前記ローカルネットワークを介して互いにアクセス可能な複数のデバイスの複数の一意の識別子を記憶し、
前記第１のデバイスが、前記第２のデバイスから、前記少なくとも１つの追加のデバイスの一意の識別子を取得することと、
前記第１のデバイスが、前記第２のデバイスから取得された前記一意の識別子に応答して、前記少なくとも１つの追加のデバイスに前記マルチメディア通信セッションの前記識別された少なくとも一部分を向けることと、
を備える、方法。
【請求項２】
第１のデバイスと第２のデバイスとの間でマルチメディア通信セッションを開始することは、前記第１のデバイスおよび前記第２のデバイスを認証することをさらに備える、請求項１に記載の方法。
【請求項３】
前記第１のデバイス、前記第２のデバイス、および前記少なくとも１つの追加のデバイスの各々は、ルーティング可能なアドレスを使用して個別にアドレス指定可能である、請求項１に記載の方法。
【請求項４】
前記少なくとも１つの追加のデバイス内に位置する要素は、ルーティング可能なアドレスを使用して個別にアドレス指定可能である、請求項３に記載の方法。
【請求項５】
前記ルーティング可能なアドレスは、電話番号に相関されるＩＰアドレスを備える、請求項３に記載の方法。
【請求項６】
前記ＩＰアドレスは、前記少なくとも１つの追加のデバイスに関連付けられた能力に相関される、請求項５に記載の方法。
【請求項７】
前記マルチメディア通信セッションは、ボイスオーバＩＰ（ＶｏＩＰ）呼である、請求項１に記載の方法。
【請求項８】
前記ＶｏＩＰ呼は、第１のデータおよび第２のデータを備え、前記第２のデータは、前記少なくとも１つの追加のデバイスに転送される、請求項７に記載の方法。
【請求項９】
前記マルチメディア通信セッションの前記少なくとも一部分は、ビデオおよびオーディオから選ばれる、請求項１に記載の方法。
【請求項１０】
前記第１のデバイスが、前記少なくとも１つの追加のデバイスに前記マルチメディア通信セッションの前記識別された少なくとも一部分を向けることは、前記第２のデバイスおよび前記少なくとも１つの追加のデバイスに前記マルチメディア通信セッションの前記識別された少なくとも一部分を同時放送することを備える、請求項１に記載の方法。
【請求項１１】
前記少なくとも１つの追加のデバイスは、電話機、テレビ、タブレットコンピューティングデバイス、およびパーソナルコンピューティングデバイスから選ばれる、請求項１に記載の方法。
【請求項１２】
複数のデバイスが通信することを可能にするためのシステムであって、
第１のロケーションに位置する第１の電話機および第２のロケーションに位置する第２の電話機と、前記第１の電話機および前記第２の電話機は、マルチメディア通信セッションに携わる、
前記第１の電話機および前記第２の電話機のいずれかによってアクセス可能な前記第１のロケーションおよび前記第２のロケーションのいずれかにおける追加のデバイスと、
ローカルネットワークを介して互いにアクセス可能な複数のデバイスの複数の一意の識別子を記憶するように構成されたデータ記憶システムと、
前記第１の電話機および前記第２の電話機のうちの１つが前記データ記憶システムから前記少なくとも１つの追加のデバイスの一意の識別子を取得し、前記第１の電話機および前記第２の電話機の他方に前記一意の識別子を通信することにより、前記第１の電話機および前記第２の電話機のいずれかによって、前記第１のロケーションおよび前記第２のロケーションのうちの１つにおける少なくとも１つの追加のデバイスにルーティングされる前記マルチメディア通信セッションの少なくとも一部分と、
を備える、システム。
【請求項１３】
前記第１の電話機、前記第２の電話機、および前記少なくとも１つの追加のデバイスの各々は、ルーティング可能なアドレスを使用して個別にアドレス指定可能である、請求項１２に記載のシステム。
【請求項１４】
前記少なくとも１つの追加のデバイス内に位置する要素は、ルーティング可能なアドレスを使用して個別にアドレス指定可能である、請求項１３に記載のシステム。
【請求項１５】
前記ルーティング可能なアドレスは、電話番号に相関されるＩＰアドレスを備える、請求項１３に記載のシステム。
【請求項１６】
前記ＩＰアドレスは、前記少なくとも１つの追加のデバイスに関連付けられた能力に相関される、請求項１５に記載のシステム。
【請求項１７】
前記マルチメディア通信セッションは、ボイスオーバＩＰ（ＶｏＩＰ）呼である、請求項１２に記載のシステム。
【請求項１８】
前記ＶｏＩＰ呼は、第１のデータおよび第２のデータを備え、前記第２のデータは、前記少なくとも１つの追加のデバイスに転送される、請求項１７に記載のシステム。
【請求項１９】
第１のデバイスおよび第２のデバイスを認証することをさらに備える、請求項１２に記載のシステム。
【請求項２０】
前記マルチメディア通信セッションの前記少なくとも一部分は、ビデオおよびオーディオから選ばれる、請求項１２に記載のシステム。
【請求項２１】
前記マルチメディア通信セッションの前記少なくとも一部分が前記少なくとも１つの追加のデバイスにルーティングされることは、第２のデバイスおよび前記少なくとも１つの追加のデバイスに前記マルチメディア通信セッションの前記少なくとも一部分を同時放送することを備える、請求項１２に記載のシステム。
【請求項２２】
前記少なくとも１つの追加のデバイスは、電話機、テレビ、タブレットコンピューティングデバイス、およびパーソナルコンピューティングデバイスから選ばれる、請求項１２に記載のシステム。
【請求項２３】
複数のデバイスが通信することを可能にするためのシステムであって、
第１のデバイスと第２のデバイスとの間でマルチメディア通信セッションを開始するための手段と、前記第１および第２のデバイスの各々は少なくとも１つの追加のデバイスへのアクセスを有し、
ローカルネットワークを介して互いにアクセス可能な複数のデバイスの複数の一意の識別子を記憶するための手段と、
前記少なくとも１つの追加のデバイスに向ける前記マルチメディア通信セッションの少なくとも一部分を識別するための手段と、前記第２のデバイスは、前記複数の一意の識別子を記憶するための前記手段から前記少なくとも１つの追加のデバイスの一意の識別子を取得し、前記第１のデバイスに前記一意の識別子を通信し、
前記第１のデバイスが前記第２のデバイスから前記一意の識別子を受信することに応答して、前記少なくとも１つの追加のデバイスに前記マルチメディア通信セッションの前記識別された少なくとも一部分を向けるための手段と、
を備える、システム。
【請求項２４】
第１のデバイスと第２のデバイスとの間でマルチメディア通信セッションを開始するための前記手段は、前記第１のデバイスおよび前記第２のデバイスを認証するための手段をさらに備える、請求項２３に記載のシステム。
【請求項２５】
前記第１のデバイス、前記第２のデバイス、および前記少なくとも１つの追加のデバイスの各々は、ルーティング可能なアドレスを使用して個別にアドレス指定可能である、請求項２３に記載のシステム。
【請求項２６】
前記少なくとも１つの追加のデバイス内に位置する要素は、ルーティング可能なアドレスを使用して個別にアドレス指定可能である、請求項２５に記載のシステム。
【請求項２７】
前記ルーティング可能なアドレスは、電話番号に相関されるＩＰアドレスを備える、請求項２５に記載のシステム。
【請求項２８】
前記ＩＰアドレスは、前記少なくとも１つの追加のデバイスに関連付けられた能力に相関される、請求項２７に記載のシステム。
【請求項２９】
前記マルチメディア通信セッションは、ボイスオーバＩＰ（ＶｏＩＰ）呼である、請求項２３に記載のシステム。
【請求項３０】
前記ＶｏＩＰ呼は、第１のデータおよび第２のデータを備え、前記第２のデータは、前記少なくとも１つの追加のデバイスに転送される、請求項２９に記載のシステム。
【請求項３１】
前記マルチメディア通信セッションの前記少なくとも一部分は、ビデオおよびオーディオから選ばれる、請求項２３に記載のシステム。
【請求項３２】
前記第１のデバイスが、前記少なくとも１つの追加のデバイスに前記マルチメディア通信セッションの前記識別された少なくとも一部分を向けることは、前記第２のデバイスおよび前記少なくとも１つの追加のデバイスに前記マルチメディア通信セッションの前記識別された少なくとも一部分を同時放送するための手段を備える、請求項２３に記載のシステム。
【請求項３３】
前記少なくとも１つの追加のデバイスは、電話機、テレビ、タブレットコンピューティングデバイス、およびパーソナルコンピューティングデバイスから選ばれる、請求項２３に記載のシステム。
【請求項３４】
複数のデバイスが通信することを可能にするための、プロセッサによる実行のためのコンピュータコードを記憶した非一時的なコンピュータ可読媒体であって、
第１のデバイスと第２のデバイスとの間でマルチメディア通信セッションを開始するための第１のコードセグメントと、前記第１および第２のデバイスの各々は少なくとも１つの追加のデバイスへのアクセスを有し、
前記少なくとも１つの追加のデバイスに向ける前記マルチメディア通信セッションの少なくとも一部分を識別するための第２のコードセグメントと、
前記第２のデバイスがデータ記憶システムから前記少なくとも１つの追加のデバイスの一意の識別子を取得するための第３のコードセグメントと、前記データ記憶システムはローカルネットワークを介して互いにアクセス可能な複数のデバイスの複数の一意の識別子を記憶し、
前記第１のデバイスが前記第２のデバイスから前記少なくとも１つの追加のデバイスの前記一意の識別子を取得するための第４のコードセグメントと、
前記第２のデバイスから取得された前記一意の識別子に応答して、前記少なくとも１つの追加のデバイスに前記マルチメディア通信セッションの前記識別された少なくとも一部分を向けるための第５のコードセグメントと、
を備える、コンピュータ可読媒体。
【請求項３５】
第１のデバイスと第２のデバイスとの間でマルチメディア通信セッションを開始するための前記第１のコードセグメントは、前記第１のデバイスおよび前記第２のデバイスを認証するための第６のコードセグメントをさらに備える、請求項３４に記載のコンピュータ可読媒体。
【請求項３６】
前記第１のデバイス、前記第２のデバイス、および前記少なくとも１つの追加のデバイスの各々は、ルーティング可能なアドレスを使用して個別にアドレス指定可能である、請求項３４に記載のコンピュータ可読媒体。
【請求項３７】
前記少なくとも１つの追加のデバイス内に位置する要素は、ルーティング可能なアドレスを使用して個別にアドレス指定可能である、請求項３６に記載のコンピュータ可読媒体。
【請求項３８】
前記ルーティング可能なアドレスは、電話番号に相関されるＩＰアドレスを備える、請求項３６に記載のコンピュータ可読媒体。
【請求項３９】
前記ＩＰアドレスは、前記少なくとも１つの追加のデバイスに関連付けられた能力に相関される、請求項３８に記載のコンピュータ可読媒体。
【請求項４０】
前記マルチメディア通信セッションは、ボイスオーバＩＰ（ＶｏＩＰ）呼である、請求項３４に記載のコンピュータ可読媒体。
【請求項４１】
前記ＶｏＩＰ呼は、第１のデータおよび第２のデータを備え、前記第２のデータは、前記少なくとも１つの追加のデバイスに転送される、請求項４０に記載のコンピュータ可読媒体。
【請求項４２】
前記マルチメディア通信セッションの前記少なくとも一部分は、ビデオおよびオーディオから選ばれる、請求項３４に記載のコンピュータ可読媒体。
【請求項４３】
前記第１のデバイスが、前記少なくとも１つの追加のデバイスに前記マルチメディア通信セッションの前記識別された少なくとも一部分を向けることは、前記第２のデバイスおよび前記少なくとも１つの追加のデバイスに前記マルチメディア通信セッションの前記識別された少なくとも一部分を同時放送することを備える、請求項３４に記載のコンピュータ可読媒体。
【請求項４４】
前記少なくとも１つの追加のデバイスは、電話機、テレビ、タブレットコンピューティングデバイス、およびパーソナルコンピューティングデバイスから選ばれる、請求項３４に記載のコンピュータ可読媒体。
【請求項４５】
デバイス間でデータを共有するための方法であって、
通信デバイスを使用してマルチメディア音声通信セッションに参加することと、
前記通信デバイスが、データ記憶システムから取得された一意の識別子に応答して、前記通信デバイスが位置するロケーションに位置する少なくとも１つの追加のデバイスにアクセスすることと、前記データ記憶システムは、前記通信デバイスが位置する前記ロケーションにおける複数のデバイスの複数の一意の識別子を記憶し、
前記少なくとも１つの追加のデバイスに前記マルチメディア音声通信セッションの少なくとも一部を前記通信デバイスから転送することと、
を備える、方法。
【請求項４６】
前記通信デバイスおよび前記少なくとも１つの追加のデバイスは、ルーティング可能なアドレスを使用して個別にアドレス指定可能である、請求項４５に記載の方法。
【請求項４７】
前記少なくとも１つの追加のデバイス内に位置する要素は、ルーティング可能なアドレスを使用して個別にアドレス指定可能である、請求項４６記載の方法。
【請求項４８】
前記ルーティング可能なアドレスは、電話番号に相関されるＩＰアドレスを備える、請求項４６に記載の方法。
【請求項４９】
前記ＩＰアドレスは、前記少なくとも１つの追加のデバイスに関連付けられた能力に相関される、請求項４８に記載の方法。
【請求項５０】
前記マルチメディア音声通信セッションは、ボイスオーバＩＰ（ＶｏＩＰ）呼である、請求項４５に記載の方法。
【請求項５１】
前記ＶｏＩＰ呼は、第１のデータおよび第２のデータを備え、前記第２のデータは、前記少なくとも１つの追加のデバイスに転送される、請求項５０に記載の方法。
【手続補正２】
【補正対象書類名】明細書
【補正対象項目名】００５７
【補正方法】変更
【補正の内容】
【００５７】
[0061]選択された態様は、詳細に例示および説明されてきたけれども、様々な置換および代替が、以下の特許請求の範囲によって定義されるように、本発明の趣旨および範囲から逸脱することなく、そこになされうることは理解されるだろう。
以下に、本願出願の当初の特許請求の範囲に記載された発明を付記する。
［Ｃ１］
複数のデバイスが通信することを可能にするための方法であって、
第１のデバイスと第２のデバイスとの間でマルチメディア通信セッションを開始することと、前記第１および第２のデバイスの各々は少なくとも１つの追加のデバイスへのアクセスを有し、
前記少なくとも１つの追加のデバイスに向ける前記マルチメディア通信セッションの少なくとも一部分を識別することと、前記第１のデバイスは、前記少なくとも１つの追加のデバイスの一意の識別子を取得し、
前記少なくとも１つの追加のデバイスに前記マルチメディア通信セッションの前記識別された少なくとも一部分を向けることと、
を備える、方法。
［Ｃ２］
第１のデバイスと第２のデバイスとの間でマルチメディア通信セッションを開始することは、前記第１のデバイスおよび前記第２のデバイスを認証することをさらに備える、Ｃ１に記載の方法。
［Ｃ３］
前記第１のデバイス、前記第２のデバイス、および前記少なくとも１つの追加のデバイスの各々は、ルーティング可能なアドレスを使用して個別にアドレス指定可能である、Ｃ１に記載の方法。
［Ｃ４］
前記少なくとも１つの追加のデバイス内に位置する要素は、ルーティング可能なアドレスを使用して個別にアドレス指定可能である、Ｃ３に記載の方法。
［Ｃ５］
前記ルーティング可能なアドレスは、電話番号に相関されるＩＰアドレスを備える、Ｃ３に記載の方法。
［Ｃ６］
前記ＩＰアドレスは、前記少なくとも１つの追加のデバイスに関連付けられた能力に相関される、Ｃ５に記載の方法。
［Ｃ７］
前記マルチメディア通信セッションは、ボイスオーバＩＰ（ＶｏＩＰ）呼である、Ｃ１に記載の方法。
［Ｃ８］
前記ＶｏＩＰ呼は、第１のデータおよび第２のデータを備え、前記第２のデータは、前記少なくとも１つの追加のデバイスに転送される、Ｃ７に記載の方法。
［Ｃ９］
前記第１のデバイスは、前記第２のデバイスから前記一意の識別子を取得する、Ｃ１に記載の方法。
［Ｃ１０］
前記マルチメディア通信セッションの前記少なくとも一部分は、ビデオおよびオーディオから選ばれる、Ｃ１に記載の方法。
［Ｃ１１］
前記第１のデバイスが、前記少なくとも１つの追加のデバイスに前記マルチメディア通信セッションの前記識別された少なくとも一部分を向けることは、前記第２のデバイスおよび前記少なくとも１つの追加のデバイスに前記マルチメディア通信セッションの前記識別された少なくとも一部分を同時放送することを備える、Ｃ１に記載の方法。
［Ｃ１２］
前記少なくとも１つの追加のデバイスは、電話機、テレビ、タブレットコンピューティングデバイス、およびパーソナルコンピューティングデバイスから選ばれる、Ｃ１に記載の方法。
［Ｃ１３］
複数のデバイスが通信することを可能にするためのシステムであって、
第１のロケーションに位置する第１の電話機および第２のロケーションに位置する第２の電話機と、前記第１の電話機および前記第２の電話機は、マルチメディア通信セッションに携わる、
前記第１の電話機および前記第２の電話機のいずれかによってアクセス可能な前記第１のロケーションおよび前記第２のロケーションのいずれかにおける追加のデバイスと、
前記第１の電話機および前記第２の電話機のいずれかによって、前記第１のロケーションおよび前記第２のロケーションのうちの１つにおける少なくとも１つの追加のデバイスにルーティングされる前記マルチメディア通信セッションの少なくとも一部分と、
を備える、システム。
［Ｃ１４］
前記第１の電話機、前記第２の電話機、および前記少なくとも１つの追加のデバイスの各々は、ルーティング可能なアドレスを使用して個別にアドレス指定可能である、Ｃ１３に記載のシステム。
［Ｃ１５］
前記少なくとも１つの追加のデバイス内に位置する要素は、ルーティング可能なアドレスを使用して個別にアドレス指定可能である、Ｃ１４に記載のシステム。
［Ｃ１６］
前記ルーティング可能なアドレスは、電話番号に相関されるＩＰアドレスを備える、Ｃ１４に記載のシステム。
［Ｃ１７］
前記ＩＰアドレスは、前記少なくとも１つの追加のデバイスに関連付けられた能力に相関される、Ｃ１６に記載のシステム。
［Ｃ１８］
前記マルチメディア通信セッションは、ボイスオーバＩＰ（ＶｏＩＰ）呼である、Ｃ１３に記載のシステム。
［Ｃ１９］
前記ＶｏＩＰ呼は、第１のデータおよび第２のデータを備え、前記第２のデータは、前記少なくとも１つの追加のデバイスに転送される、Ｃ１８に記載のシステム。
［Ｃ２０］
第１のデバイスおよび第２のデバイスを認証することをさらに備える、Ｃ１３に記載のシステム。
［Ｃ２１］
前記マルチメディア通信セッションの前記少なくとも一部分は、ビデオおよびオーディオから選ばれる、Ｃ１３に記載のシステム。
［Ｃ２２］
前記マルチメディア通信セッションの前記少なくとも一部分が前記少なくとも１つの追加のデバイスにルーティングされることは、第２のデバイスおよび前記少なくとも１つの追加のデバイスに前記マルチメディア通信セッションの前記少なくとも一部分を同時放送することを備える、Ｃ１３に記載のシステム。
［Ｃ２３］
前記少なくとも１つの追加のデバイスは、電話機、テレビ、タブレットコンピューティングデバイス、およびパーソナルコンピューティングデバイスから選ばれる、Ｃ１３に記載のシステム。
［Ｃ２４］
複数のデバイスが通信することを可能にするためのシステムであって、
第１のデバイスと第２のデバイスとの間でマルチメディア通信セッションを開始するための手段と、前記第１および第２のデバイスの各々は少なくとも１つの追加のデバイスへのアクセスを有し、
前記少なくとも１つの追加のデバイスに向ける前記マルチメディア通信セッションの少なくとも一部分を識別するための手段と、前記第１のデバイスは、前記少なくとも１つの追加のデバイスの一意の識別子を取得し、
前記少なくとも１つの追加のデバイスに前記マルチメディア通信セッションの前記識別された少なくとも一部分を向けるための手段と、
を備える、システム。
［Ｃ２５］
第１のデバイスと第２のデバイスとの間でマルチメディア通信セッションを開始するための前記手段は、前記第１のデバイスおよび前記第２のデバイスを認証するための手段をさらに備える、Ｃ２４に記載のシステム。
［Ｃ２６］
前記第１のデバイス、前記第２のデバイス、および前記少なくとも１つの追加のデバイスの各々は、ルーティング可能なアドレスを使用して個別にアドレス指定可能である、Ｃ２４に記載のシステム。
［Ｃ２７］
前記少なくとも１つの追加のデバイス内に位置する要素は、ルーティング可能なアドレスを使用して個別にアドレス指定可能である、Ｃ２６に記載のシステム。
［Ｃ２８］
前記ルーティング可能なアドレスは、電話番号に相関されるＩＰアドレスを備える、Ｃ２６に記載のシステム。
［Ｃ２９］
前記ＩＰアドレスは、前記少なくとも１つの追加のデバイスに関連付けられた能力に相関される、Ｃ２８に記載のシステム。
［Ｃ３０］
前記マルチメディア通信セッションは、ボイスオーバＩＰ（ＶｏＩＰ）呼である、Ｃ２４に記載のシステム。
［Ｃ３１］
前記ＶｏＩＰ呼は、第１のデータおよび第２のデータを備え、前記第２のデータは、前記少なくとも１つの追加のデバイスに転送される、Ｃ３０に記載のシステム。
［Ｃ３２］
前記第１のデバイスは、前記第２のデバイスから前記一意の識別子を取得する、Ｃ２４に記載のシステム。
［Ｃ３３］
前記マルチメディア通信セッションの前記少なくとも一部分は、ビデオおよびオーディオから選ばれる、Ｃ２４に記載のシステム。
［Ｃ３４］
前記第１のデバイスが、前記少なくとも１つの追加のデバイスに前記マルチメディア通信セッションの前記識別された少なくとも一部分を向けることは、前記第２のデバイスおよび前記少なくとも１つの追加のデバイスに前記マルチメディア通信セッションの前記識別された少なくとも一部分を同時放送するための手段を備える、Ｃ２４に記載のシステム。
［Ｃ３５］
前記少なくとも１つの追加のデバイスは、電話機、テレビ、タブレットコンピューティングデバイス、およびパーソナルコンピューティングデバイスから選ばれる、Ｃ２４に記載のシステム。
［Ｃ３６］
複数のデバイスが通信することを可能にするための、プロセッサによる実行のためのコンピュータコードを記憶した非一時的なコンピュータ可読媒体であって、
第１のデバイスと第２のデバイスとの間でマルチメディア通信セッションを開始するための第１のコードセグメントと、前記第１および第２のデバイスの各々は少なくとも１つの追加のデバイスへのアクセスを有し、
前記少なくとも１つの追加のデバイスに向ける前記マルチメディア通信セッションの少なくとも一部分を識別するための第２のコードセグメントと、前記第１のデバイスは、前記少なくとも１つの追加のデバイスの一意の識別子を取得し、
前記少なくとも１つの追加のデバイスに前記マルチメディア通信セッションの前記識別された少なくとも一部分を向けるための第３のコードセグメントと、
を備える、コンピュータ可読媒体。
［Ｃ３７］
第１のデバイスと第２のデバイスとの間でマルチメディア通信セッションを開始するための前記第１のコードセグメントは、前記第１のデバイスおよび前記第２のデバイスを認証するための第４のコードセグメントをさらに備える、Ｃ３６に記載のコンピュータ可読媒体。
［Ｃ３８］
前記第１のデバイス、前記第２のデバイス、および前記少なくとも１つの追加のデバイスの各々は、ルーティング可能なアドレスを使用して個別にアドレス指定可能である、Ｃ３６に記載のコンピュータ可読媒体。
［Ｃ３９］
前記少なくとも１つの追加のデバイス内に位置する要素は、ルーティング可能なアドレスを使用して個別にアドレス指定可能である、Ｃ３８に記載のコンピュータ可読媒体。
［Ｃ４０］
前記ルーティング可能なアドレスは、電話番号に相関されるＩＰアドレスを備える、Ｃ３８に記載のコンピュータ可読媒体。
［Ｃ４１］
前記ＩＰアドレスは、前記少なくとも１つの追加のデバイスに関連付けられた能力に相関される、Ｃ４０に記載のコンピュータ可読媒体。
［Ｃ４２］
前記マルチメディア通信セッションは、ボイスオーバＩＰ（ＶｏＩＰ）呼である、Ｃ３６に記載のコンピュータ可読媒体。
［Ｃ４３］
前記ＶｏＩＰ呼は、第１のデータおよび第２のデータを備え、前記第２のデータは、前記少なくとも１つの追加のデバイスに転送される、Ｃ４２に記載のコンピュータ可読媒体。
［Ｃ４４］
前記第１のデバイスは、前記第２のデバイスから前記一意の識別子を取得する、Ｃ３６に記載のコンピュータ可読媒体。
［Ｃ４５］
前記マルチメディア通信セッションの前記少なくとも一部分は、ビデオおよびオーディオから選ばれる、Ｃ３６に記載のコンピュータ可読媒体。
［Ｃ４６］
前記第１のデバイスが、前記少なくとも１つの追加のデバイスに前記マルチメディア通信セッションの前記識別された少なくとも一部分を向けることは、前記第２のデバイスおよび前記少なくとも１つの追加のデバイスに前記マルチメディア通信セッションの前記識別された少なくとも一部分を同時放送することを備える、Ｃ３６に記載のコンピュータ可読媒体。
［Ｃ４７］
前記少なくとも１つの追加のデバイスは、電話機、テレビ、タブレットコンピューティングデバイス、およびパーソナルコンピューティングデバイスから選ばれる、Ｃ３６に記載のコンピュータ可読媒体。
［Ｃ４８］
デバイス間でデータを共有するための方法であって、
通信デバイスを使用してマルチメディア音声通信セッションに参加することと、
前記通信デバイスが、前記通信デバイスが位置するロケーションに位置する少なくとも１つの追加のデバイスにアクセスすることと、
前記少なくとも１つの追加のデバイスに前記マルチメディア音声通信セッションの少なくとも一部を前記通信デバイスから転送することと、
を備える、方法。
［Ｃ４９］
前記通信デバイスおよび前記少なくとも１つの追加のデバイスは、ルーティング可能なアドレスを使用して個別にアドレス指定可能である、Ｃ４８に記載の方法。
［Ｃ５０］
前記少なくとも１つの追加のデバイス内に位置する要素は、ルーティング可能なアドレスを使用して個別にアドレス指定可能である、Ｃ４９記載の方法。
［Ｃ５１］
前記ルーティング可能なアドレスは、電話番号に相関されるＩＰアドレスを備える、Ｃ４９に記載の方法。
［Ｃ５２］
前記ＩＰアドレスは、前記少なくとも１つの追加のデバイスに関連付けられた能力に相関される、Ｃ５１に記載の方法。
［Ｃ５３］
前記マルチメディア音声通信セッションは、ボイスオーバＩＰ（ＶｏＩＰ）呼である、Ｃ４８に記載の方法。
［Ｃ５４］
前記ＶｏＩＰ呼は、第１のデータおよび第２のデータを備え、前記第２のデータは、前記少なくとも１つの追加のデバイスに転送される、Ｃ５３に記載の方法。
【国際調査報告】
2016522589.tif 000008
2016522589.tif 000009
2016522589.tif 000010